(57)【要約】【課題】巻取部におけるトラブル発生時における修復の作業性を向上し、修復にかかる時間を低減して、プリントの生産性が阻害されないようにする。【解決手段】本発明に係るフィルム搬送ユニットは、挿入されたフィルムを搬送経路に沿って搬送させる搬送部と、搬送されてきたフィルムを回転駆動する巻取用ドラムで巻き取る巻取部とを備えたフィルム搬送ユニットにおいて、巻取部が搬送部に対して着脱可能に設けられると共に、該巻取部を搬送部の搬送経路に対する位置決め状態で保持する保持手段が搬送部に設けられてなることを特徴とする。【選択図】      図９
2004264524.tif 000002
【特許請求の範囲】
【請求項１】
挿入されたフィルムを搬送経路に沿って搬送させる搬送部と、搬送されてきたフィルムを回転駆動する巻取用ドラムで巻き取る巻取部とを備えたフィルム搬送ユニットにおいて、巻取部が搬送部に対して着脱可能に設けられると共に、該巻取部を搬送部の搬送経路に対する位置決め状態で保持する保持手段が搬送部に設けられてなることを特徴とするフィルム搬送ユニット。
【請求項２】
前記巻取用ドラムの駆動源が前記搬送部に設けられ、且つ該駆動源の回転駆動力を巻取用ドラムに伝達するための伝達機構が巻取部の取り外しに伴って分断可能に設けられてなる請求項１記載のフィルム搬送ユニット。
【請求項３】
前記駆動源は、搬送経路上に位置してフィルムを搬送する搬送手段の駆動源と共用されてなる請求項２記載のフィルム搬送ユニット。
【請求項４】
前記巻取部を保持する前記保持手段を有するフレーム体が搬送部に着脱可能に設けられ、該フレーム体を介して巻取部が搬送部に対して着脱可能に設けられてなる請求項１乃至３の何れかに記載のフィルム搬送ユニット。
【請求項５】
巻取用ドラムの両端を回転自在に支持する一対の支持フレームが設けられ、前記保持手段は、該支持フレームの移動を規制する規制爪からなる請求項１乃至４の何れかに記載のフィルム搬送ユニット。
【発明の詳細な説明】
【０００１】
【発明の属する技術分野】
本発明は、搬送経路の下流側にフィルムの巻取部を備えた画像読取装置等のフィルム搬送ユニットに関する。
【０００２】
【従来の技術】
カメラで撮影した画像をプリントすべく、フィルムに形成された駒画像を画像データとして読み取る画像読取装置が、フィルム搬送ユニットの一形態として知られている（特許文献１）。かかる画像読取装置は、帯状のフィルムを長手方向に搬送する搬送レーン（搬送経路）を有する搬送部と、該搬送経路上に位置するフィルムの画像を読み取る撮像素子を有する撮像部と、搬送されてきたフィルムを搬送レーンの下流側で巻き取る巻取部とを備えている。
【０００３】
上記構成の画像処理装置では、搬送レーン上でフィルムを上流側から下流側に向けて搬送しつつ、撮像部が当該フィルムの駒画像を画像データとして読み取り、プレスキャニングを行う。そして、プレスキャニングされたフィルムを順次に巻取部で巻き取った後、該フィルムを再度搬送レーンに送り出し、搬送レーン上で下流側から上流側に向けて（逆方向に）搬送しつつ、撮像部で駒画像を画像データとして読み取り、本スキャニングを行う。
【０００４】
【特許文献１】
特開２０００−５６４０５号公報
【０００５】
【発明が解決しようとする課題】
ところで、上記構成のフィルム搬送ユニットは、フィルムの巻き取り中や巻き取り完了後にジャミング等のトラブルが発生した場合、巻取部を取り外してフィルムを取り出す必要がある。そのまま巻取部からフィルムを取り出そうとするならば、狭いスペースでの巻取部の取扱いは非常に煩雑であり、その結果、フィルムが傷付いたりしてダメージを受けるおそれがあるからである。
【０００６】
しかしながら、巻取部は、搬送レーンとの位置関係にある程度の精度が要求されるため、常時は搬送部に位置決め固定（ビス止め）されており、ユーザーが簡単には取り外せないようになっている。また、取り外せたとしても、巻取部を搬送部に再度取り付ける際、搬送部に対する巻取部の正確な位置決めを再現しておかなければ、修復後のフィルム搬送性に影響が生じてくる。
【０００７】
そして、そのような構成では、トラブル発生時における修復の作業性が悪く、修復に時間がかかり、プリントの生産性が阻害される原因となりかねない。また、このような問題は、巻取部の定期的な点検あるいは清掃等のメンテナンス時であっても同様である。
【０００８】
【課題を解決するための手段】
本発明にかかるフィルム搬送ユニットは、上記課題を解決するためのものであって、挿入されたフィルムを搬送経路に沿って搬送させる搬送部と、搬送されてきたフィルムを回転駆動する巻取用ドラムで巻き取る巻取部とを備えたフィルム搬送ユニットにおいて、巻取部が搬送部に対して着脱可能に設けられると共に、該巻取部を搬送部の搬送経路に対する位置決め状態で保持する保持手段が搬送部に設けられてなることを特徴とする。
【０００９】
上記構成からなるフィルム搬送ユニットによれば、巻取部や搬送部にトラブルが発生した場合、保持手段の保持を解除させるようにして巻取部を取り外し、外れた巻取部からフィルムを取り出す。一方、フィルムを取り出した後は、保持手段によって保持されるようにして巻取部を取り付ける。この時、巻取部は保持手段によって搬送部の搬送経路に対する位置決めがなされるため、搬送部に対する巻取部の正確な位置決めが自然と再現される。
【００１０】
また、本発明にかかるフィルム搬送ユニットは、前記巻取用ドラムの駆動源が前記搬送部に設けられ、且つ該駆動源の回転駆動力を巻取用ドラムに伝達するための伝達機構が巻取部の取り外しに伴って分断可能に設けられてなる構成を採用することができる。かかる構成からなるフィルム搬送ユニットによれば、巻取部を搬送部に取り付けた際には、伝達機構が一つに接続され、これにより、駆動源の回転駆動力を巻取部の巻取用ドラムに伝達することができる。一方、伝達機構が二つに分断されることで、巻取部を搬送部から取り外すことも可能となる。このように構成すれば、巻取部そのものに巻取用ドラムのための駆動源が必要なくなり、巻取部を簡素化することができるため、さらに作業性の向上を図ることができる。
【００１１】
また、本発明にかかるフィルム搬送ユニットは、前記駆動源は、搬送経路上に位置してフィルムを搬送する搬送手段の駆動源と共用されてなる構成を採用することができる。かかる構成からなるフィルム搬送ユニットによれば、例えば駆動ローラ等の搬送手段を回転駆動するための駆動源から回転駆動力が伝達され、巻取用ドラムがフィルム巻き取りのために回転するものであり、このように構成すれば、駆動源の数を減らして全体的な構成を簡素化することができる。
【００１２】
また、本発明にかかるフィルム搬送ユニットは、前記巻取部を保持する前記保持手段を有するフレーム体が搬送部に着脱可能に設けられ、該フレーム体を介して巻取部が搬送部に対して着脱可能に設けられてなる構成を採用することができる。かかる構成からなるフィルム搬送ユニットによれば、フレーム体そのものを搬送部から取り外すか、巻取部をフレーム体から取り外すか、用途に応じて選択することができる。
【００１３】
また、本発明にかかるフィルム搬送ユニットは、巻取用ドラムの両端を回転自在に支持する一対の支持フレームが設けられ、前記保持手段は、該支持フレームの移動を規制する規制爪からなる構成を採用することができる。かかる構成からなるフィルム搬送ユニットによれば、規制爪によって巻取部が不用意に搬送部から離脱するのを防止でき、且つ規制爪が可撓性を有するような場合は、その弾性力に抗して巻取部をより簡単に着脱することが可能となる。
【００１４】
【発明の実施の形態】
以下、本発明の一実施形態にかかる画像読取装置について、添付図面を参照して説明する。本実施形態にかかる画像読取装置は、帯状の３５ｍｍフィルム、及びＡＰＳ（アドバンスト・フォト・システム）フィルムのカートリッジ内に収納された帯状のフィルム（以下、「２４０フィルム」という）に形成された駒画像を読み取るものであるが、その読み取り対象となる３５ｍｍフィルムやＡＰＳフィルム等の構成は周知であるので、これらについての説明は割愛する。なお、以下の説明においては、１３５フィルムや２４０フィルム等の帯状の写真フィルムを総称して単に「フィルム」ということもある。
【００１５】
本実施形態にかかる画像読取装置は、図１に示す如く、フィルムを搬送する搬送部である搬送装置１０と、搬送装置１０から搬送されてきたフィルムを巻き取るように構成された巻取ユニット２０と、搬送装置１０によって搬送されるフィルムに形成された駒画像を読み取る撮像部である撮像装置３０とで構成されている。
【００１６】
前記搬送装置１０は、図２及び図３に示す如く、ＡＰＳフィルムのカートリッジを装填する装填部１１０と、２４０フィルムを搬送する搬送レーンである第一レーンＲ１及び１３５フィルムを搬送する搬送レーンである第二レーンＲ２を備えたフィルム搬送部１３０とで構成されている。
【００１７】
装填部１１０は、装填されたＡＰＳフィルムのカートリッジを保持するホルダー部１１１と、該ホルダー部１１１に保持されたＡＰＳフィルムのスプール軸を回転させる駆動部１１７と、ホルダー部１１１に保持されたＡＰＳフィルムのスプール軸を支持する支持部１２５とで構成されている。
【００１８】
前記ホルダー部１１１は、ＡＰＳフィルムのカートリッジを挿入するホルダー本体１１２と、該ホルダー本体１１２が蝶着されてフィルム搬送部１３０に取り付けられる取付部材１１３とで構成されている。
【００１９】
ホルダー本体１１２は、外周形状がＡＰＳフィルムのカートリッジの端面形状と略相似した形状に設定されてドーナツ状に形成されたベース部１１４と、該ベース部１１４の外周方向に所定間隔を有し、ベース部１１４の外周縁部から中心線方向に突出した複数の保持片１１５，１１５，…とで構成されている。
【００２０】
複数の保持片１１５，１１５，…は、先端側にＡＰＳフィルムのカートリッジを装填する装填口Ｉｃを形成しており、当該保持片１１５，１１５，…で包囲した領域内にＡＰＳフィルムのカートリッジを軸心方向に挿入可能に配置されている。また、複数の保持片１１５，１１５，…は、ＡＰＳフィルムのカートリッジを装填した状態で、カートリッジのシャッター部（フィルムを引き出す引出口）が保持片１１５，１１５，…間にくるように配置され、２４０フィルムの引き出しが可能となるように配置されている。
【００２１】
前記取付部材１１３は、後述する下部本体１４０に着脱可能に構成されており、前記ホルダー本体１１２のベース部１１４が蝶着されている。ホルダー本体１１２と取付部材１１３とを蝶着した軸体１１６には、ねじりコイルバネ（図示しない）が外嵌されており、ホルダー本体１１２が軸体回りに付勢されている。
【００２２】
該ホルダー部１１１は、装填したカートリッジのシャッター部が第一レーンＲ１側となるように、取付部材１１３がフィルム搬送部１３０（下部本体１４０）に取り付けられ、この状態でホルダー本体１１２は、装填されたカートリッジ内のスプール軸が横臥状態となるフィルム引出姿勢と、装填口Ｉｃが上方に向く装填姿勢との間で姿勢変更可能になっている。該ホルダー部１１１は、フィルム引出姿勢において、第一レーンＲ１の後述する第一レーン挿入口とカートリッジのシャッター部とが対向し、カートリッジから２４０フィルムを引き出して第一レーンＲ１に挿入できるようになっている。一方、装填姿勢においては、装填口Ｉｃが上方に向き、ＡＰＳフィルムのカートリッジの装填及び取り出しを行うことができるようになっている。
【００２３】
前記駆動部１１７は、フィルム搬送部１３０に連結されるベース体１２０と、駆動源である電動モータ１１８と、該電動モータ１１８の回転を減速する減速機構１１９とを備えている。ベース体１２０は、フィルム搬送部１３０の下面に取り付けられており、該ベース体１２０には、前記電動モータ１１８及び減速機構１１９が垂設されている。前記減速機構１１９の出力軸（図示しない）は、一端部がホルダー本体１１２に向けて突出するように設けられており、ホルダー本体１１２のベース部１１４の穴を介し、装填姿勢からフィルム引出姿勢になったカートリッジ内のスプール軸の一端部と係合して電動モータ１１８の駆動がスプール軸に伝達されるようになっている。なお、前記電動モータ１１８は、前記減速機構１１９を介してフィルム搬送部１３０の駆動も担っている。
【００２４】
前記支持部１２５は、スプール軸の他端部を支持する回転自在な支持軸１２１を備えている。具体的には、該支持部１２５は、ＡＰＳフィルムにおけるカートリッジのシャッター部を開閉する開閉機構を備えている。該開閉機構は、電動モータ１２６と、該電動モータ１２６の駆動をカートリッジのシャッター部を開閉するように伝達する伝達機構体１２７とを備えており、前記支持軸１２１は、伝達機構体１２７に回転自在に軸支されている。このように構成された開閉機構は、ベース１２８に支持されており、フィルム引出姿勢になったカートリッジ内のスプール軸の軸心方向に進退可能に設けられている。
【００２５】
前記支持軸１２１は、ＡＰＳフィルムのスプール軸の他端部と係合可能に構成されており、当該支持部１２５がカートリッジに向けて前進することで、スプール軸の他端部と係合するように構成されている。一方、支持部１２５が、カートリッジから離間するように後退することで、スプール軸と出力軸との係合が解除されるようになっている。
【００２６】
前記フィルム搬送部１３０は、上下に対向配置された下部本体１４０と、上部本体１６０とで構成されている。下部本体１４０は、平面視略矩形状に形成されており、長手方向の一端側における一方の角部が、平面視略角形に切り欠かれ、前記装填部１１０を配置する配置スペースを形成している。
【００２７】
図４、図５（図３におけるＡ−Ａ断面図）、及び図６（図３におけるＢ−Ｂ断面図）に示す如く、下部本体１４０における上部本体１６０と対向する面には、前記第一レーンＲ１を形成するための第一下溝１４１と、第二レーンＲ２を形成するための第二下溝１５０とが形成されている。
【００２８】
第一下溝１４１は、２４０フィルムの幅に対応した幅に設定されており、装填部１１０の配置スペースの形成位置（装填部１１０内に装填されたカートリッジのシャッター部の配置位置）に対応するように、当該下部本体１４０の長手方向に全長に亘って形成されている。該第一下溝１４１の底面には、長手方向（フィルムの搬送方向）に所定間隔を有して複数の凹部１４２が形成されており、該凹部１４２には、回転駆動する駆動ローラ１４３が内装されている。該駆動ローラ１４３は、第一下溝１４１の底面から一部を突出させるように設けられており、上部本体１６０の後述する従動ローラ１６３と当接するようになっている。
【００２９】
第一下溝１４１の底面の所定位置には、溝幅方向に延びて上下方向に貫通したスリット状の第一下透過部１４４が形成され、該第一下透過部１４４に対して当該下部本体１４０の一端側には、上部本体１６０に設けられた後述する磁気ヘッド１６５に２４０フィルムを押し付ける回転自在なヘッド用ローラ１４５が埋設されている。
【００３０】
また、第一下溝１４１には、フィルムに形成された検知用のパーフォレーションを検知するセンサー（例えば、透過型センサーであれば、投光器又は受光器の一方（図示しない））が適宜埋設されるとともに、第一下透過部１４４より下部本体１４０の一端側にフィルムの一方の面をクリーニングするブラシ１４６が埋設されている。
【００３１】
第二下溝１５０は、１３５フィルムのフィルム幅に対応して幅に設定されており、第一下溝１４１に対して該下部本体１４０の長手方向（フィルムの搬送方向）と直交する方向（短手方向）に所定間隔を有して並列（略平行）状態をなすように、該下部本体１４０の長手方向で全長に亘って形成されている。
【００３２】
該第二下溝１５０の底面には、長手方向（フィルムの搬送方向）に所定間隔を有して複数の凹部１５１が形成されており、該凹部１５１には、回転駆動する駆動ローラ１５２が内装されている。該駆動ローラ１５２は、第二下溝１５０の底面から一部を突出させるように設けられており、上部本体１６０の後述する従動ローラ１７２と当接するようになっている。
【００３３】
第二下溝１５０の底面には、溝幅方向に延びて上下方向に貫通したスリット状の第二下透過部１５３が形成されており、該第二下透過部１５３は、第一下透過部１４４の延長線上に形成されている。また当該底面にも、該第二透過部に対して下部本体の一端側にフィルムの一方の面をクリーニングするブラシ１５４が埋設されている。
【００３４】
前記上部本体１６０は、平面視矩形状に形成されており、長手方向が前記第一レーンＲ１に全長に対応した長さに設定され、短手方向が下部本体１４０の短手方向の長さに対応した長さに設定されている。
【００３５】
該上部本体１６０は、装填部１１０を躱して下部本体１４０に対向配置されており、短手方向の一端部が下部本体１４０の短手方向の一端部に蝶着されている。これにより、上部本体１６０は、下部本体１４０に対して開閉可能となっており、該上部本体１６０と下部本体１４０との対向面同士が密接する密接状態と、前記対向面が離間する離間状態との間で姿勢変更可能となっている。
【００３６】
該上部本体１６０における下部本体１４０と対向する面には、前記第一下溝１４１と伴に前記第一レーンＲ１を形成するための第一上溝１６１と、前記第二下溝１５０と伴に第二レーンＲ２を形成するための第二上溝１７０とが形成されている。
【００３７】
第一上溝１６１は、第一下溝１４１と同様に、２４０フィルムの幅に対応して幅に設定されており、第一下溝１４１の形成位置に対応して長手方向に全長に亘って形成されている。該第一上溝１６１の天面には、第一下溝１４１の凹部１４２の形成位置に対応して長手方向（２４０フィルムの搬送方向）に所定間隔を有して複数の凹部１６２が形成されており、該凹部１６２には、回転自在な前記従動ローラ１６３が内装されている。従動ローラ１６３は、第一上溝１６１の天面から下方に向けて一部を突出させるように設けられており、前記下部本体１４０の駆動ローラ１４３と伴に２４０フィルムを狭持できるようになっている。
【００３８】
第一上溝１６１は、第一下溝１４１の第一下透過部１４４の形成位置に対応して、溝幅方向に延びて上下方向に貫通したスリット状の第一上透過部１６４が天面の所定位置に形成されている。
【００３９】
第一上溝１６１内には、前記第一上透過部１６４より当該上部本体１６０の一端側に前記磁気ヘッド１６５が設けられている。該磁気ヘッド１６５は、ヘッド面が第一下溝１４１の底面に向けて配置されており、ヘッド用ローラ１４５と当接するようになっている。
【００４０】
具体的には、図７に示す如く、該磁気ヘッド１６５は、下部本体１４０の駆動ローラ１４３間に配置されるようになっており、ヘッド面が前記下部本体１４０の駆動ローラ１４３…と上部本体１６０の従動ローラ１６３，…とで形成される２４０フィルムの搬送経路面Ｖを基準にして下方（下部本体側１４０）側に所定寸法αの位置に設けられており、本実施形態における所定寸法αは、搬送経路面Ｖを基準にして０．５ｍｍ以上になるように設定されている。つまり、磁気ヘッド１６５に対して上流側の駆動ローラ１４３と従動ローラ１６３、及び下流側の駆動ローラ１４３と従動ローラ１６３が２４０フィルムを弛ませることなく搬送するに際し、磁気ヘッド１６５と隣接する上流側及び下流側の駆動ローラ１４３が支点となり、該支点間の２４０フィルムが磁気ヘッド１６５のヘッド面に沿って搬送されるようになっている。
【００４１】
なお、磁気ヘッド１６５のヘッド面の配置の基準となる２４０フィルムの搬送経路面Ｖは、駆動ローラ１４３と従動ローラ１６３の硬度差により異なり、例えば、駆動ローラ１４３の硬度が従動ローラ１６３の硬度より高い場合には、従動ローラ１６３が変形することとなるため、隣接する駆動ローラ１４３の接線上がヘッド面の配置位置の基準としての搬送経路面Ｖに設定される。
【００４２】
これにより、２４０フィルムを強制的に磁気ヘッド１６５のヘッド面に向けて付勢する付勢手段を設けなくても、２４０フィルムの磁気層が確実且つ十分に磁気ヘッド１６５のヘッド面に接触するようになっている。前記ヘッド用ローラ１４５は、ヘッド面と接触する外周面が、前記ヘッド面の配置位置より所定寸法β上方に位置するように配置されており、磁気ヘッド１６５のヘッド面と当接した際に僅かに変形した状態で２４０フィルムを補助的にヘッド面に押し付けるようになっている。なお、ヘッド面を基準にした前記所定寸法βは、０．２ｍｍ以上に設定されている。
【００４３】
図５及び図６に戻り、第一上溝１６１の天面には、第一下溝１４１に埋設したセンサーに対応するように、投光器又は受光器の他方が（図示しない）適宜埋設されるとともに、下部本体１４０のブラシ１４６と対応するように２４０フィルムの他方の面をクリーニングするブラシ１６６が埋設されている。
【００４４】
第二上溝１７０は、第二下溝１５０と同様に、１３５フィルムのフィルム幅に対応して幅に設定されており、第一上溝１６１に対して該上部本体１６０の長手方向（１３５フィルムの搬送方向）と直交する方向（短手方向）に所定間隔を有して並列（略平行）状態をなすように、該上部本体１６０の長手方向で全長に亘って形成されている。
【００４５】
該第二上溝１７０の天面には、第二下溝１５０の凹部１５１の形成位置に対応して、長手方向（１３５フィルムの搬送方向）に所定間隔を有して複数の凹部１７１が形成されており、該凹部１７１には、回転自在な従動ローラ１７２が内装されている。従動ローラ１７２は、第二上溝１７０の天面から下方（対向した下部本体）に向けて一部を突出させるように設けられており、前記下部本体１４０の駆動ローラ１５２と伴に１３５フィルムを狭持できるようになっている。
【００４６】
第二上溝１７０は、第二下溝１５０の第二下透過部１５３の形成位置に対応して、溝幅方向に延びて上下方向に貫通したスリット状の第二上透過部１７３が天面の所定位置に形成されている。また、第二上溝１７０には、下部本体１４０のブラシ１５４と対応するように１３５フィルムの他方の面をクリーニングするブラシ１７４が埋設されている。
【００４７】
上記構成のフィルム搬送部１３０は、上部本体１６０を下部本体１４０に密接状態にすることで、第一下溝１４１と第一上溝１６１とが一体となり、当該フィルム搬送部１３０の長手方向の一端面に第一レーン挿入口を形成した断面略矩形状の穴が長手方向の全長に亘って形成され、下部本体１４０の駆動ローラ１４３と上部本体１６０の従動ローラ１６３とが接触状態となるとともに、磁気ヘッド１６５とヘッド用ローラ１４５が接触状態となって第一レーンＲ１が形成されるようになっている。
【００４８】
この状態において、第一レーンＲ１は、装填部１１０に装填したＡＰＳフィルムのカートリッジから引き出して第一レーン挿入口から穴内に挿入した２４０フィルムの搬送が可能になるとともに、第一下透過部１４４及び第一上透過部１６４が連通して上下方向に透過可能な第一透過部１３１が形成され、第一透過部１３１を介して２４０フィルムの駒画像が読み取り可能な状態となる。
【００４９】
また、この状態において第一レーンＲ１は、該第一レーンＲ１の前記穴を形成する対向した一対の側部壁面（第一下溝１４１を形成する対向した一対の立面と、第一上溝１６１を形成する対向した一対の立面とで形成した一対の連続面）によって搬送する２４０フィルムをガイドすることができる状態にもなっている。
【００５０】
また、フィルム搬送部１３０は、第一レーンＲ１と同様に、第二下溝１５０と第二上溝１７０とが一体となり、前記第一レーン挿入口と並列状態の第二レーン挿入口を形成した断面略矩形状の穴が当該フィルム搬送部１３０の長手方向に貫通して形成され、下部本体１４０の駆動ローラ１５２と上部本体の従動ローラ１７２とが接触状態となって第二レーンＲ２が形成されるようになっている。
【００５１】
この状態において第二レーンＲ２は、第二レーン挿入口から穴内に挿入した１３５フィルムの搬送が可能になるとともに、第二下透過部１５３及び第二上透過部１７３が連通して上下方向に透過可能な第二透過部１３２が形成され、第二透過部１３２を介して当該１３５フィルムの駒画像を読み取り可能な状態となる。
【００５２】
また、この状態において第二レーンＲ２は、当該第二レーンＲ２の断面矩形状の穴を形成する対向した一対の側部壁面（第二下溝１５０を形成する対向した一対の立面と、第二上溝１７０を形成する対向した一対の立面とで形成した一対の連続面）によって搬送する１３５フィルムをガイドできる状態にもなっている。
【００５３】
前記巻取ユニット２０は、図２に示す如く、第一レーンＲ１で搬送されてくるＡＰＳフィルムの２４０フィルムを一時的に回収して収容する巻取部である第一巻取部２１０と、第二レーンＲ２で搬送されてくる１３５フィルムを一時的に回収する巻取部である第二巻取部２５０と、第一巻取部２１０及び第二巻取部２５０をユニット化してフィルム搬送部１３０に対して取り付けるフレーム体であるフレーム部２８０とで構成されている。
【００５４】
前記第一巻取部２１０は、図８及び図９に示す如く、一端開口が閉塞板２１１により閉塞されて２４０フィルムを収容する内部空間（以下、「収容空間」という）を形成した環状の胴部２１２と、該胴部２１２の他端開口を開閉可能に設けられた扉体２１３とで構成されている。
【００５５】
前記胴部２１２は、前記一端開口側を形成する第一分割胴２１４ａと、前記他端開口を形成する第二分割胴２１４ｂとが連結されることで形成されており、開口形状が略小判状に形成されている。すなわち、胴部２１２の内周面は、環状をなしており、上下方向で対向する凹状をなす一対の円弧面２１５ａ，２１５ｂと、該円弧面２１５ａ，２１５ｂ同士を連続させる起立した一対の起立面２１６ａ，２１６ｂとで構成されている。
【００５６】
該胴部２１２の内周面は、中心軸方向の幅が２４０フィルム幅と同等、或いはそれよりやや広く設定されている。また、該胴部２１２の内周面は、中央部の全周に溝２１７が形成されており、両端開口部側の内径が中央部よりも小さくなるように形成されている。これにより、収容空間に入り込んだ２４０フィルムは、両側端部（駒画像非形成領域）が胴部の内周面の両側部にのみ摺接して移動するようになっている。
【００５７】
胴部２１２を形成する第一分割胴２１４ａ及び第二分割胴２１４ｂの連結面には、胴部２１２の中心軸方向に掘り下げられたスリット状の挿入口形成溝２１８ａ，２１８ｂが形成されており、第一分割胴２１４ａ、及び第二分割胴２１４ｂを連結することで挿入口形成溝２１８ａ，２１８ｂが一体となり、前記起立面２１６ａと直交方向で且つ上方側の円弧面２１５ａに対して接線方向の面を形成したスリット状の第一挿入口２１９が、胴部２１２の軸心方向に形成されるようにようになっている。
【００５８】
また、該胴部２１２の他端側における上部外面には、第二巻取部２５０の後述する支持フレーム２５１を載置可能な載置部２２０が形成されている。該載置部２２０は、支持フレーム２５１の載置片２５２に形成された位置決穴２５３に挿入される位置決用凸部２２４が形成されている。また、胴部２１２の上部外面には、載置部２２０に載置した支持フレーム２５１が上方に向けて移動するのを規制する規制爪２２１が上方に向けて突設されている。
【００５９】
胴部２１２の閉塞板２１１の外面には、第一挿入口２１９を形成した周壁から外部に向けて突出するように連結部２２５が設けられている。該連結部２２５は、ねじ部材を介して当該巻取ユニット２０をフィルム搬送部１３０に着脱可能に取り付けることができるようになっており、フィルム搬送部１３０に連結した際に、第一レーンＲ１で搬送されてくる２４０フィルムが第一挿入口２１９に挿入可能な配置となるように設けられている。
【００６０】
前記扉体２１３は、プレート状に形成されており、一端部が胴部２１２における第一挿入口２１９側の端縁部に蝶着され、収容空間の開放、及び閉塞することができるようになっている。これにより、胴部２１２の収容空間内の状況を確認できるようになっている。また、扉体２１３は、胴部２１２の開口端縁部に形成された係止用凹部２２２に係止可能な係止爪２２３が他端部に突設されており、該扉体２１３を閉じた際に、該閉状態を維持できるようになっている。
【００６１】
第二巻取部２５０は、図１０、図１１（図１０におけるＡ−Ａ断面図）、及び図１２（図１０におけるＢ−Ｂ断面図）に示す如く、１３５フィルムを巻き取るための巻取用ドラム２５６と、該巻取用ドラム２５６に圧着することで１３５フィルムを巻取用ドラム２５６に巻き取っていく方向に案内する複数の圧着ローラ２５７，…とを備え、また、各圧着ローラ２５７を端部にて回転自在に支持する可動ガイド部材２５８を複数備えている。
【００６２】
複数の可動ガイド部材２５８，…（本実施形態では３つ）は、それぞれ端部が一対の支持フレーム２５１，２５４間で支持される軸２５９周りに揺動可能に支持されている。具体的には、上流側から第一可動ガイド部材２５８ａは、上流側の端部が揺動中心（軸２５９）となり、第二可動ガイド部材２５８ｂは、下流側の端部が揺動中心（軸２５９）となり、第三可動ガイド部材２５８ｃは、上流側の端部が第二可動ガイド部材２５８ｂと共通する揺動中心（軸２５９）となる。
【００６３】
圧着ローラ２５７は、可動ガイド部材２５８の揺動中心とは反対側の端部で回転自在に支持されるもので、具体的には、上流側から第一圧着ローラ２５７ａは、第一可動ガイド部材２５８ａの下流側の端部に位置し、第二圧着ローラ２５７ｂは、第二可動ガイド部材２５８ｂの上流側の端部に位置し、第三圧着ローラ２５７ｃは、第三可動ガイド部材２５８ｃの下流側の端部に位置する。
【００６４】
そして、各可動ガイド部材２５８は、ばね（図示しない）により径内方向に付勢されており、これにより、各圧着ローラ２５７は、巻取用ドラム２５６に対して常時圧着された状態となる。なお、巻取用ドラム２５６には、各圧着ローラ２５７の対応位置に樹脂製のブッシュ２５９が外嵌されており、実際には、各圧着ローラ２５７は、ブッシュ２５９に対して圧着された状態となる。
【００６５】
また、各可動ガイド部材２５８は、それぞれ巻取用ドラム２５６を周回するように配置され、従って、それぞれ内周面は、１３５フィルムを巻き取っていくための案内面を構成するが、巻取用ドラム２５６の周方向に比較的長い寸法を有する可動ガイド部材２５８（第一可動ガイド部材２５８ａ及び第三可動ガイド部材２５８ｃ）の中間部位には、案内用ローラ２６０が適宜設けられている。
【００６６】
巻取用ドラム２５６は、１３５フィルムを巻き取る際の蛇行を規制すべく、１３５フィルムのフィルム幅に対応した鍔部２５６ａを両端部に備えている。また、ワンウェイクラッチ（図示しない）を介してドラム回転軸２６１に同軸に連結される。そして、このドラム回転軸２６１が支持フレーム２５１，２５４に回転自在に支持されることにより、巻取用ドラム２５６は、支持フレーム２５１，２５４に対して回転自在となる。
【００６７】
支持フレーム２５４から突出するドラム回転軸２６１には、フリクションクラッチ２６２が取り付けられ、さらにその先には入力用の歯車２６３が取り付けられている。なお、１３５フィルムを巻取用ドラム２５６にたるみの無いように巻き取るには、駆動ローラ１５２による単位時間当たりの送り長さよりも巻取用ドラム２５６による単位時間当たりの巻き取り長さ（これは巻き取り径により変化する）が大きくなるように設定する必要があり、この巻き取り長さと送り長さの差を吸収するためにフリクションクラッチ２６２が設けられる。
【００６８】
図８及び図９に戻り、前記フレーム部２８０は、第一巻取部２１０の閉塞板２１１の外面から胴部２１２に中心軸方向に突出したアーム部２８１と、該アーム部２８１の先端部から上方に突出した支持アーム部２８２とで構成されており、正面視略Ｌ型に形成されている。
【００６９】
支持アーム部２８２には、前記閉塞板２１１から突設された連結部２２５と同様に、フィルム搬送部１３０との連結側に突出した連結部２８３が設けられている。支持アーム部２８２の上端面は、第二巻取部２５０の前記支持フレーム２５４を載置することができ、また位置決めできるように形状設定されている。この支持アーム部２８２の上端面には、上下方向にネジ穴２８４が穿設されており、ネジ部材Ｂを介して載置した支持フレーム２５４の載置片２５５を固定できるようになっている。
【００７０】
また、支持アーム部２８２は、当該巻取ユニット２０をフィルム搬送部１３０に連結した際にフィルム搬送部１３０から動力を受けることができる歯車機構２８５が設けられている。該歯車機構２８５は、第二巻取部２５０をフレーム部２８０に取り付けた際に、第二巻取部２５０の歯車２６３と噛合する歯車２８７と、フレーム部２８０をフィルム搬送部１３０に取り付けた際に、該フィルム搬送部１３０の駆動用歯車（図示しない）と噛合する歯車２８６を備えている。
【００７１】
前記撮像装置３０は、図１３に示す如く、前記搬送装置１０で搬送されるフィルムに形成された駒画像を読み取る撮像体３１０と、該撮像体３１０による画像の読み取りを確実にすべく、搬送中のフィルムに光を照射する光源体３２０と、撮像体３１０及び光源体３２０を連結して支持する連結フレーム３３０とで構成されている。
【００７２】
前記撮像体３１０は、ライン状に形成された可視光用の撮像素子３１１ａ（以下、可視光用ラインＣＣＤという）と、ライン状に形成された赤外用の撮像素子３１１ｂ（以下、赤外用ラインＣＣＤという）と、搬送装置１０で搬送されるフィルムの駒画像を像として前記可視光用ラインＣＣＤ３１１ａ及び赤外用ラインＣＣＤ３１１ｂに導くダイクロイックミラー３１２と、該ダイクロイックミラー３１２に前記像を導く光学系であるレンズ３１３とで構成されており、本実施形態においては、搬送装置１０（第一透過部１３１又は第二透過部１３２）の上方に配置されている。
【００７３】
可視光用ラインＣＣＤ３１１ａは、読み取り面がフィルムの駒画像形成面に対して略平行、且つ直交した状態となるように配置され、赤外用ラインＣＣＤ３１１ｂは、読み取り面が前記第一透過部１３１及び第二透過部１３２の形成方向に対応して、第一透過部１３１及び第二透過部１３２の何れか一方と対向するように配置されている。
【００７４】
前記ダイクロイックミラー３１２は、第一透過部１３１又は第二透過部１３２の配置位置に対応して配置されており、第一透過部１３１又は第二透過部１３２を介して、透過した像を前記可視光用ラインＣＣＤ３１１ａ及び赤外用ラインＣＣＤ３１１ｂに導けるように傾斜状態で配置されるとともに、レンズ３１３は、ダイクロイックミラー３１２に像を導けるようにダイクロイックミラー３１２と搬送装置１０との間に介装されている。
【００７５】
前記光源体３２０は、搬送装置１０（第一透過部１３１又は第二透過部１３２部）の下方に配置されており、赤外光、及び赤色光を発光する複数の赤外赤色発光素子３２１Ｒ（以下、単に赤色ＬＥＤという）、緑色光を発光する複数の緑色発光素子３２１Ｇ（以下、緑色ＬＥＤという）、青色光を発光する複数の青色発光素子３２１Ｂ（以下、青色ＬＥＤ）、これらからの光の方向を変えるダイクロイックミラー３２２、光学系であるレンズ３２３により構成されている。
【００７６】
前記複数の赤色ＬＥＤ３２１Ｒはライン状の配置され、ダイクロイックミラー３２２、レンズ３２３を介して、搬送装置１０の第一透過部１３１、又は第二透過部１３２に向けて赤色光を照射し、該赤色光が第一透過部１３１又は第二透過部１３２を介して撮像体３１０に到達するようになっている。また、緑色ＬＥＤ３２１Ｇ、青色ＬＥＤ３２１Ｂのそれぞれも、赤色ＬＥＤ３２１Ｒと同様にライン状に配置され、ダイクロイックミラー３２２、及びレンズ３２３を介して、搬送装置１０の第一透過部１３１、又は第二透過部１３２に向けて緑色光、青色光を照射し、該緑色光、及び青色光が第一透過部又は第二透過部を介して撮像体３１０に到達するようになっている。
【００７７】
前記連結フレーム３３０は、搬送装置１０の上方に配置された撮像体３１０と、搬送装置１０の下方に配置された光源体３２０とを連結している。該連結フレーム３３０は、搬送装置１０におけるフィルムの搬送方向と略直交（交差）する方向に往復動可能に構成されており、撮像体３１０及び光源体３２０が、第一レーンＲ１の第一透過部に対応した第一位置と、第二レーンＲ２の第二透過部に対応した第二位置との間で移動できるようになっている。これにより、第一レーンＲ１における第一透過部１３１から透過する像の撮像と、第二レーンＲ２における第二透過部１３２から透過する像の撮像を切り替えることができるようになっている。
【００７８】
以上の構成からなる画像読取装置によって２４０フィルムの駒画像を読み取るには、まず、カートリッジを装填したホルダー本体１１２をフィルム引出姿勢にし、スプール軸を支持部１２５の支持軸１２１で支持させるとともに駆動部１１７の出力軸と係合させる。
【００７９】
そして、カートリッジから引き出した２４０フィルムを第一レーン挿入口から第一レーンＲ１の穴内に挿入すると、該２４０フィルムは、第一レーンＲ１の駆動ローラ１４３及び従動ローラ１６３によって当該フィルム搬送部１３０の他端側（巻取ユニット２０側）に向けて搬送されることとなる。この際、装填部１１０における２４０フィルムの送り出し速度（スプール軸の回転速度）は、２４０フィルムが弛まないように、駆動ローラ１４３による搬送速度に比してやや低速、或いは同等になっている。
【００８０】
そして、２４０フィルムが第一透過部１３１を通過する際に、撮像装置３０の光源体３２０からの光が駒画像に照射され、これによって得られた象が撮像体３１０（赤外用ラインＣＣＤ３１１ａ、可視光用ラインＣＣＤ３１１ｂ）によってライン状に順次読み取られることとなる。
【００８１】
そして、２４０フィルムは、先端部が第一巻取部２１０の第一挿入口２１９に入り込み、扉体２１３の内面及び胴部２１２の一端開口を閉塞した閉塞板２１１の内側面によってガイドされた状態で、該２４０フィルムの先端部が第一巻取部２１０の内周面に沿って移動して自発的に順次巻かれていき、第一巻取部２１０内の収容空間に一時的に回収される。
【００８２】
そして、駒画像の全てを読み込んだ後、駆動部１１７の電動モータ１１８が逆転してスプール軸を回転させ、第一巻取部２１０に一時的に回収された２４０フィルムが再度カートリッジ内に巻き戻されることとなる。なお、２４０フィルムの駒画像の読み取りには、プレスキャニングと本スキャニングの二度の画像読み取りを行う場合と、本スキャニングのみを行う場合があり、プレスキャニングと本スキャニングとを行う場合には、第一巻取部２１０に向けて搬送する際にプレスキャニングを行い、カートリッジ内に再度巻き取る際に本スキャニングを行うようになっている。
【００８３】
そして、上記のようにカートリッジから２４０フィルムを引き出したり、引き出した２４０フィルムをカートリッジ内に巻き戻したりする動作が円滑に行えない場合、例えば、２４０フィルムがフィルム搬送部１３０によって搬送されている際に、第一巻取部２１０内に２４０フィルムが入り込まなくなるようなトラブルが発生した場合には、第一巻取部２１０の扉体２１３を開き、第一巻取部２１０の収容空間内の状況を確認することとなる。この確認により、第一巻取部２１０内にトラブルの原因が有った場合には、作業者が胴部の一端開口を介して第一巻取部２１０内の状況を改善し、再度２４０フィルムの搬送を行い、駒画像の読み取りが再開される。
【００８４】
また、２４０フィルムの搬送を阻害する原因が、フィルム搬送部１３０内に有る場合には、上部本体１６０を開くとともに、作業者が胴部２１２の一端開口から収容空間内に指を入れ、胴部２１２内（収容空間内）の２４０フィルムを第一挿入口２１９から外部に送り出したり、２４０フィルムをカートリッジ側で切断して胴部２１２内に引き込んで一端開口から取り出したりして２４０フィルムを当該搬送装置１０から取り除くこととなる。
【００８５】
また、該画像読取装置は、本スキャニングのみを行う場合には、上述の如く、２４０フィルムを第一巻取部２１０に一時的に回収した後に、カートリッジに巻き戻すようにする他に、巻取ユニット２０（第一巻取部２１０）をフィルム搬送部１３０から取り外して、第一レーン挿入口にカートリッジから分離した２４０フィルムを挿入し、該２４０フィルムを一方向に搬送して本スキャニングのみを行うこともできるようにもなっている。
【００８６】
１３５フィルムの駒画像を読み取る場合には、撮像体３１０（光源体３２０）が第二透過部１３２に対応した第二位置に位置するように、撮像装置３０を搬送装置１０のフィルムの搬送方向と直交する方向に移動させる。
【００８７】
そして、１３５フィルムを第二レーンＲ２の第二レーン挿入口に挿入すると、該１３５フィルムは、第二レーンＲ２の駆動ローラ１５２及び従動ローラ１７２によって当該フィルム搬送部の他端側（巻取ユニット側）に向けて搬送されることとなる。
【００８８】
そして、１３５フィルムが第二透過部１３２を通過する際に、撮像装置３０の光源体３２０からの光が駒画像に照射され、これによって得られた像が赤外用ラインＣＣＤ３１１ａ及び可視光用ラインＣＣＤ３１１ｂによってライン状に順次読み取られることとなる。
【００８９】
そして、１３５フィルムは、先端が第二巻取部２５０の第二挿入口（第一可動ガイド部材２５８ａと第二可動ガイド部材２５８ｃとの間）に入り込み、該先端部が巻取用ドラム２５６を包囲した可動ガイド部材２５８によって案内されて巻取用ドラム２５６によって巻き取られ、一時的に回収されることとなる。この回収時において、１３５フィルムは、第二巻取部２５０の案内部（巻取用ドラム２５６の鍔部２５６ａ，２５６ａ）によって幅方向の両側端が蛇行を規制された状態で巻き取られ、全ての駒画像を読み取った状態で後端部が駆動ローラ１５２と従動ローラ１７２とで挟持された状態で、１３５フィルムの搬送が停止する。そして、駆動ローラ１５２が逆転して第二レーン挿入口に向けて搬送される。
【００９０】
この第二レーンＲ２においても、１３５フィルムの駒画像の読み取りには、第一レーンＲ１と同様にプレスキャニングと本スキャニングの二度の画像読み取りを行う場合と、本スキャニングのみを行う場合があり、プレスキャニングと本スキャニングとを行う場合には、第二巻取部２５０に向けて搬送する際にプレスキャニングを行い、第二レーン挿入口に向けて搬送する際に本スキャニングを行うようになっている。
【００９１】
そして、上記のように１３５フィルムの搬送、及び第二巻取部２５０での巻き取り動作が円滑に行えない場合、例えば、１３５フィルムがフィルム搬送部１３０によって搬送されている際に、第二巻取部２５０内に１３５フィルムが入り込まなくなるようなトラブルが発生した場合には、可動ガイド部材２５８を開いて（径外方向に可動ガイド部材２５８を揺動させて）、巻取用ドラム２５６のフィルムの巻き取り状態を確認することとなる。
【００９２】
この確認により、第二巻取部２５０内にトラブルの原因が有った場合には、第二巻取部２５０をフレーム部２８０から取り外し、トラブルの原因を解消することとなる。これにより、狭いスペースで無理やりにトラブルを解消する作業を行うことがなく、解消作業時に１３５フィルムを傷めるといった事態を防止して作業が行われる。
【００９３】
該画像読取装置は、上述の如く、本スキャニングのみを行う場合には、１３５フィルムを第二レーンＲ２で一端から他端に向けて搬送して第二巻取部２５０で巻き取って一旦回収した後、該回収した１３５フィルムを第二レーン挿入口に向けて搬送して第二レーン挿入口から取り出すようにする他に、当該第二巻取部２５０をフレーム部２８０から取り外し、１３５フィルムを一方向に搬送し、該１３５フィルムを第二レーンＲ２における他端側から回収できるようにもなっている。
【００９４】
以上のように、本実施形態にかかる画像読取装置によれば、撮像装置３０が搬送装置１０におけるフィルムの搬送方向に対して直交方向に移動するように構成され、第一レーンＲ１と第二レーンＲ２のそれぞれに対して第一巻取部２１０及び第二巻取部２５０が設けられているので、第一巻取部２１０、第二巻取部２５０を含めて第一レーンＲ１又は第二レーンＲ２でフィルム搬送に関してトラブルが発生しても、撮像装置３０を移動させることで、該撮像装置３０で撮像することのできる第一レーンＲ１又は第二レーンＲ２に切り替えることができる。
【００９５】
これにより、第一レーンＲ１又は第二レーンＲ２の何れか一方でフィルムを搬送させることのできないトラブルが発生しても、作業効率を低下させることなく、第一レーンＲ１又は第二レーンＲ２の何れか他方でフィルムを搬送して画像の読み取りを行うことができる。
【００９６】
この際、トラブルが発生した第一レーンＲ１又は第二レーンＲ２の修復作業を行うことができ、読み取り作業を中止させる頻度を極めて小さくすることができる。
【００９７】
また、第一レーンＲ１及び第二レーンＲ２のそれぞれに対して設けた第一巻取部２１０及び第二巻取部２５０が、フィルムの種類（幅）に対応してそれらをガイドしつつ巻き取るように構成されているので、フィルムの回収（巻き取り）中にフィルムが蛇行して巻き取りが不調になるのを防止することができる。
【００９８】
また、２４０フィルムがフィルム搬送部１３０によって第一巻取部２１０に送り込まれ、この送り込みにより２４０フィルムが第一巻取部２１０の内周面に沿って移動することで、当該２４０フィルムが自発的に巻かれるように第一巻取部２１０を構成したので、２４０フィルムの巻き取りに駆動を必要とせず、巻取ユニット２０の構成を簡素にすることができる。
【００９９】
また、第一巻取部２１０の収容空間を開放及び閉塞することのできる扉体２１３を設けたので、第一巻取部２１０内、又はフィルム搬送部１３０内でトラブル等が発生した際に、２４０フィルムを傷めることなく、容易且つ確実にトラブルを解消することができる。
【０１００】
また、第一巻取部２１０、及び第二巻取部２５０（巻取ユニット２０全体）をフィルム搬送部１３０に対して着脱可能に設けたので、トラブルが発生して修復する際に、これらを取り外して効率良く修復作業を行うことができる。また、使用者の要求する使用態様（プレスキャニングと本スキャニングによる二回読み取り、又は本スキャニングのみの一回読み取り）によりフィルムの駒画像を読み取ることができる。
【０１０１】
尚、本発明は、上記実施形態に限定されるものではなく、本発明の要旨を逸脱しない範囲内において種々変更を加え得ることは勿論である。
【０１０２】
本実施形態にかかる第二巻取部（巻取部）２５０は、フレーム部（フレーム体）２８０を介して搬送装置（搬送部）１０に着脱自在に取り付けられるようになっているが、この第二巻取部２５０は、搬送装置１０に直接的に着脱自在に取り付けるようにしてもよい。
【０１０３】
また、本実施形態にかかる保持手段は、規制爪２２１、位置決用凸部２２４、ネジ穴２８４及びネジ部材Ｂで構成するようにしているが、これらの具体的構成には限定されず、要は、第二巻取部２５０を簡単に着脱できるような構成であればよい。例えばワンタッチネジ（サインファスナやラッチの如きもの）を用いるようにしたり、載置された支持フレーム２５１，２５４を可撓性のある一対の規制爪で保持し、第二巻取部２５０を所定の力以上で持ち上げると、一対の規制爪が互いに拡開して第二巻取部２５０が取り外せるようにしたり、フレーム部２８０あるいは搬送装置１０に各支持フレーム２５１，２５４を移動規制する凹部を設け、該凹部及び支持フレーム２５１，２５４の双方に面ファスナー等の付着手段を設けるようにしたり、あるいはフレーム部２８０あるいは装置本体１０に各支持フレーム２５１，２５４を嵌入可能なスリットを設けるようにすることもできる。
【０１０４】
また、本実施形態において、第一巻取部２１０と第二巻取部２５０とを異なる構成にしたが、これに限定されるものではなく、第一巻取部２１０を第二巻取部２５０と同様の構成にしたものであってもよい。
【０１０５】
また、本実施形態において、第二巻取部２５０を第一巻取部２１０に連設されたフレーム部２８０で支持し、第一巻取部２１０をフィルム搬送部１３０から取り外した際に第二巻取部２５０もフィルム搬送部１３０から取り外される構成を採用したが、これに限定されるものではなく、第一巻取部２１０及び第二巻取部２５０の各々を独立的にフィルム搬送部１３０に取り付けるようにしても勿論よい。
【０１０６】
また、本実施形態にかかる搬送装置は、第一レーンＲ１及び第二レーンＲ２の二列の搬送レーンが設けられたが、搬送レーンの列数はこれに限定されるものではなく、一列であっても、三列以上設けられてもよい。後者の場合、搬送レーンを切り替えることができるように、フィルムの搬送方向と直交する方向での撮像装置の移動量を搬送レーンの列数に対応するように設定するとともに、撮像装置の搬送レーンのそれぞれの下流側にフィルムを巻き取る巻取部を配置するようにすればよい。
【０１０７】
また、本実施形態にかかる搬送装置は、第一レーンＲ１で搬送するフィルムと、第二レーンＲ２で搬送するフィルムの種類が異なっていたが、各搬送レーンは、搬送するフィルムをフィルム幅や種類が同一のものであってもよい。従って、この場合においては各搬送レーンは同一構成のものとなり、各搬送レーンに対してそれぞれ例えば第二巻取部２５０が設けられることとなる。
【０１０８】
【発明の効果】
以上のように、本発明にかかるフィルム搬送ユニットは、巻取部が搬送部に対して着脱可能に設けられると共に、該巻取部を搬送部の搬送経路に対する位置決め状態で保持する保持手段が搬送部に設けられてなるため、保持手段の保持・解除だけで巻取部を簡単に着脱させることができ、よって、トラブル発生時や定期的な点検・清掃時における作業性を良好なものとすることができる。
【図面の簡単な説明】
【図１】本発明の一実施形態にかかる画像読取装置の全体斜視図を示す。
【図２】同実施形態にかかる搬送装置の全体斜視図を示す。
【図３】同実施形態にかかる搬送装置の平面図を示す。
【図４】同実施形態にかかる搬送装置の斜視図であって、上部本体を開いた状態を示す。
【図５】図３におけるＡ−Ａ断面図を示す。
【図６】図３におけるＢ−Ｂ断面図を示す。
【図７】同実施形態にかかる搬送装置の磁気ヘッドを説明するための断面図を示す。
【図８】同実施形態にかかる巻取ユニットの第一巻取部及びフレーム部の斜視図を示す。
【図９】同実施形態にかかる巻取ユニットの一部（第二巻取部）を分解した斜視図を示す。
【図１０】同実施形態にかかる第二巻取部の平面図を示す。
【図１１】図１０におけるＡ−Ａ断面図を示す。
【図１２】図１０におけるＢ−Ｂ断面図を示す。
【図１３】同実施形態にかかる撮像装置を説明するための断面図を示す。
【符号の説明】
１０…搬送装置（搬送部）、２０…巻取ユニット、３０…撮像装置（撮像部）、１１０…装填部、１１１…ホルダー部、２１０…第一巻取部（巻取部）、２２０…載置部、２２１…規制爪、２２２…係止用凹部、２２３…係止爪、２２４…位置決用凸部、２５０…第二巻取部（巻取部）、２５１…支持フレーム、２５２…載置片、２５３…位置決穴、２５４…支持フレーム、２５５…載置片、２５６…巻取用ドラム、２５７…圧着ローラ、２５７ａ…第一圧着ローラ、２５７ｂ…第二圧着ローラ、２５７ｃ…第三圧着ローラ、２５８…可動ガイド部材、２５８ａ…第一可動ガイド部材、２５８ｂ…第二可動ガイド部材、２５８ｃ…第三可動ガイド部材、２５９…ブッシュ、２６０…案内用ローラ、２６１…ドラム回転軸、２６２…フリクションクラッチ、２８０…フレーム部、２８４…ネジ穴、２８５…歯車機構（伝達機構）、２８６，２８７…歯車
【図１】
2004264524.tif 000003
【図２】
2004264524.tif 000004
【図３】
2004264524.tif 000005
【図４】
2004264524.tif 000006
【図５】
2004264524.tif 000007
【図６】
2004264524.tif 000008
【図７】
2004264524.tif 000009
【図８】
2004264524.tif 000010
【図９】
2004264524.tif 000011
【図１０】
2004264524.tif 000012
【図１１】
2004264524.tif 000013
【図１２】
2004264524.tif 000014
【図１３】
2004264524.tif 000015